(57)【要約】【課題】作業者に熟練が要求されることなく、簡単且つ短時間内に増毛用毛髪材を取り付けることができるとともに、洗髪時においても増毛用毛髪材が抜けることを有効に防止しすることができる新規な増毛用毛髪材の取付方法を提供する。【解決手段】ゴム又は樹脂を主成分としてなるチューブ１内に、該チューブ１の一端側から自毛３を挿通させる自毛挿通工程と、上記チューブ１内に、該チューブ１の他端側から増毛用毛髪材２を挿通させる毛髪材挿通工程と、上記自毛挿通工程及び毛髪材挿通工程の後に、上記チューブ１を加熱し該チューブ１を収縮させる加熱工程と、を含んでなる。【選択図】  図５
2004232147.tif 000002
【特許請求の範囲】
【請求項１】
ゴム又は樹脂を主成分としてなるチューブ内に、該チューブの一端側から自毛を挿通させる自毛挿通工程と、
上記チューブ内に、該チューブの他端側から増毛用毛髪材を挿通させる毛髪材挿通工程と、
上記自毛挿通工程及び毛髪材挿通工程の後に、上記チューブを加熱し該チューブを収縮させる加熱工程と、を含んでなることを特徴とする増毛用毛髪材の取付方法。
【請求項２】
前記増毛用毛髪材は、複数本の増毛用毛髪の一端が接着剤により収束されてなることを特徴とする請求項１記載の増毛用毛髪材の取付方法。
【請求項３】
前記チューブの内周面には、接着層が形成されてなることを特徴とする請求項１又は２記載の増毛用毛髪材の取付方法。
【発明の詳細な説明】
【０００１】
【発明が属する技術分野】
本発明は、所謂ヘアーエクステンションと称される増毛用毛髪材を自毛に取り付けるために使用される増毛用毛髪材の取付方法に関するものである。
【０００２】
【従来の技術】
従来、頭髪の長さを外見上伸長させる方法として、増毛用毛髪材を自毛に取り付ける方法が知られている。この増毛用毛髪材を自毛に取り付ける方法としては、例えば、特開２００２−２０９２２号に開示された方法がある。この方法は、地肌から複数本の自毛を取り分けて束ねた自毛束と、複数本の人工毛髪用繊維を束ねた人工毛髪用繊維束とを交差させ、前記自毛束と前記人工毛髪用繊維束との交差部の左右の位置で前記自毛を前記人工毛髪用繊維に少なくとも１回転ずつ巻き付ける巻付け工程と、前記自毛束の先端側及び前記人工毛髪用繊維束の両端側を前記交差部付近で編み合せる編み合せ工程と、前記人工毛髪用繊維束の一部を取り分けて編み合せ部分に巻き付けた後、熱融着させる融着工程と、を有するものである。
【０００３】
【発明が解決しようとする課題】
しかしながら、上述した従来の増毛用毛髪材の取付方法では、自毛を人口毛髪用繊維束に巻付ける工程や、自毛束の先端側及び前記人工毛髪用繊維束の両端側を前記交差部付近で編み合せる工程は、熟練を必要とし、簡単且つ短時間に増毛用毛髪材を取り付けることはできない。なお、こうした従来の増毛用毛髪材の取付方法を改善するために、金属製の筒体に上記自毛と増毛用毛髪材とを挿通し、その後にペンチ等の器具を使用して該筒体を圧縮し変形させることによって、上記自毛に増毛用毛髪材を取り付ける方法が考えられる。しかし、この方法によれば、上記筒体を強く圧縮しても、圧縮された筒体の内側の左右には小さな開口が形成され、この開口から増毛用毛髪材が抜けてしまう可能性が高い。特に、洗髪時のように、自毛や増毛用毛髪材が湯水により加温された場合には、上記圧縮され変形した筒体が膨張する等により、より増毛用毛髪材の抜けが多くなることが懸念される。逆に、上記圧縮し変形させた後に形成される開口を可能な限り小さくし、上記増毛用毛髪材の抜けは減少させるために、径の小さな筒体を使用することが考えられるが、このように、径の小さな筒体を使用すると、内部に挿通させることができる自毛や増毛用毛髪材の数（本数）は大きく制約され、所定量の増毛用毛髪材を自毛に取り付ける作業は長時間必要となる。
【０００４】
そこで、本発明は、上述した従来の増毛用毛髪材の取付方法が有する課題を解決するために提案されたものであって、作業者に熟練が要求されることなく、簡単且つ短時間内に増毛用毛髪材を取り付けることができるとともに、洗髪時においても増毛用毛髪材が抜けることを有効に防止することができる新規な増毛用毛髪材の取付方法を提供することを目的とするものである。
【０００５】
【課題を解決するための手段】
本発明は、上記目的を達成するために提案されたものであって、第１の発明（請求項１記載の発明）は、ゴム又は樹脂を主成分としてなるチューブ内に、該チューブの一端側から自毛を挿通させる自毛挿通工程と、上記チューブ内に、該チューブの他端側から増毛用毛髪材を挿通させる毛髪材挿通工程と、上記自毛挿通工程及び毛髪材挿通工程の後に、上記チューブを加熱し該チューブを収縮させる加熱工程と、を含んでなることを特徴とするものである。
【０００６】
この第１の発明によれば、先ず、従来の増毛用毛髪材の取付方法のように、自毛を人口毛髪用繊維束に巻付ける工程や、自毛束の先端側及び前記人工毛髪用繊維束の両端側を前記交差部付近で編み合せる工程を経ることがなく、チューブ内に自毛と増毛用毛髪材とを挿通させるものであることから、作業者に熟練が要求されることがなく、簡単且つ短時間内に増毛用毛髪材を取り付けることができる。また、この発明では、自毛と増毛用毛髪材とが挿通されたチューブは、上記加熱工程により加熱されることにより収縮されることから、増毛用毛髪材の抜けを有効に防止することができる。
【０００７】
なお、この第１の発明を構成するチューブの素材の一つとして上げられるゴムとしては、少なくとも、該チューブに加熱することにより、上記自毛や増毛用毛髪材が収縮されるものであれば良く、例えば、フッ素ゴム，ＥＰＤＭ（エチレン−プロピレン−ジエンターポリマー）ゴム又はシリコンゴム等を用いることができる。また、樹脂としては、ポリオレフィン樹脂，ポリ塩化ビニール，弾性ネオプレン樹脂，フロロプラスチックカイナー樹脂，フロロプラスチックテフロン樹脂（テフロンはイー  アイ  デュポン  ドゥ  ヌムール  アンド  カンパニーの登録商標），ポリテトラフルオロエチレン樹脂等を用いることができる。
【０００８】
また、第２の発明（請求項２記載の発明）は、上記第１の発明において、前記増毛用毛髪材は、複数本の増毛用毛髪の一端が接着剤により収束されてなることを特徴とするものである。
【０００９】
この第２の発明では、増毛用毛髪材は、複数本の増毛用毛髪の一端が接着剤により収束されてなることから、先ず、チューブの他端側から多数本の増毛用毛髪材を挿通させる前記毛髪材挿通工程を極めて簡単に行うことができ、また、前記加熱工程により増毛用毛髪材が取り付けられた後においては、該増毛用毛髪材を構成する個々の毛髪が抜け落ちる危険性を一層防止することができる。
【００１０】
また、第３の発明（請求項３記載の発明）は、上記第１又は第２の発明において、前記チューブの内周面には、接着層が形成されてなることを特徴とするものである。
【００１１】
この第３の発明によれば、上記チューブの内周面に形成された接着層により、増毛用毛髪材を構成する個々の毛髪が抜け落ちる危険性をより一層防止することができる。
【００１２】
なお、上記チューブの内周面に形成された接着層は、前述した加熱工程により可塑化する熱可塑性樹脂を素材とすることが好ましく、この熱可塑性樹脂としては、例えば、ポリアミド樹脂，ポリエチレンテレフタレート，ポリブチレンテレフタレート等のポリエステル樹脂、アクリロニトリル−スチレン共重合樹脂，アクリロニトリル−ブタジエン−スチレン樹脂，ポリカーボネート樹脂，塩化ビニルデン−塩化ビニル共重合体、共重合アクリロニトリル樹脂，ポリアミド−ポリエ−テルブロック共重合樹脂等のポリアミド系熱可塑性エラストマー，スチレン−ブタジエンブロック共重合樹脂等のスチレン系熱可塑性エラストマーや、ポリプロピレン−エチレンプロピレンラバーブロック共重合樹脂等のポリオレフィン系熱可塑性エラストマー，ポリブタジエン系熱可塑性エラストマー，ポリエステル系熱可塑性エラストマー，或いはエチレン−酢酸ビニ系共重合体等の熱可塑性エラストマーの何れかより選ばれる重合体等を用いることができる。
【００１３】
【発明の実施の形態】
以下、本発明の一実施の形態に係る増毛用毛髪材の取付方法について、図面を参照しながら詳細に説明する。
【００１４】
この実施の形態に係る増毛用毛髪材の取付方法では、図１に示すように、熱収縮チューブ１と、増毛用毛髪材２とを用意する。上記熱収縮チューブ１は、ポリオレフィン樹脂を素材とするものであり、内径は、約５〜１０ｍｍ程度となされ、内周面には、図示しない熱可塑性樹脂からなる接着層が形成されている。また、上記増毛用毛髪材２は、約２０〜３０本の長尺な人毛（又は人口毛髪）からなる毛髪材本体２ａと、この毛髪材本体２ａの一端側が樹脂（接着剤）により収束されてなる収束部２ｂとから構成されている。なお、上記収束部２ｂの外径は、上記熱収縮チューブ１の内径よりも短い（約２〜７ｍｍ）ものとされている。
【００１５】
そして、先ず、頭部に生えた自毛３を数本（約４〜１０本）を、図２に示すように、収束し、この収束された自毛３を、図３に示すように、上記熱収縮チューブ１の一端側から挿通させる（自毛挿通工程）。なお、このように、収束した自毛３を、上記熱収縮チューブ１に挿通する際には、先端にフックが形成された図示しない挿通具を使用することにより簡単に行うことができる。すなわち、このフックを上記熱収縮チューブ１の他端側から挿通させ、上記収束された自毛３の中途部を掛止し、その後にこのフックを熱収縮チューブ１から引き抜くことにより、簡単に自毛３を挿通させることができる。
【００１６】
そして、上記自毛挿通工程が終了すると、次いで、上記熱収縮チューブ１の他端側から、図４に示すように、上記増毛用毛髪材２を挿通する（毛髪材挿通工程）。この増毛用毛髪材２を挿通する際においても、上記図示しない挿通具を使用することにより簡単に行うことができる。なお、この増毛用毛髪材２には、上記収束部２ｂが形成されていることから、上記熱収縮チューブ１の内径や該収束部２ｂの外径によっては、上記挿通具を使用することなく、手指により該熱収縮チューブ１に挿通することもできる。また、この毛髪材挿通工程は、上述したように、必ずしも、上記自毛挿通工程の後に行われる必要はなく、この毛髪材挿通工程の後に、上記自毛挿通工程を行っても良い。
【００１７】
そして、上記自毛挿通工程及び毛髪材挿通工程が終了すると、次いで、図示しないコテ又はアイロン等により、上記熱収縮チューブ１を加熱する。この加熱温度は、該熱収縮チューブ１の素材にも拠るが、約摂氏８０度〜１３０度とする。こうした熱収縮チューブ１の加熱により、該熱収縮チューブ１は、図５又は図６に示すように、内径が約半分に収縮させられるとともに、該熱収縮チューブ１の内周面に形成された上記接着層が可塑化するとともに、上記増毛用毛髪材２を構成する収束部２ｂに使用された樹脂（接着剤）も可塑化する。したがって、この熱収縮チューブ１内に挿通された上記自毛３及び増毛用毛髪材本体２ａは、図５に示すように、上記熱収縮チューブ１と両方の接着剤２ｃにより固定される。換言すれば、上記熱収縮チューブ１により、自毛３に上記増毛用毛髪材本体２ａが取り付けられる。
【００１８】
したがって、上述した実施の形態に係る増毛用毛髪材の取付方法によれば、従来の増毛用毛髪材の取付方法のように、作業者に対して熟練が要求されることがなく、簡単且つ迅速に自毛に増毛用毛髪材を取り付けることができる。しかも、上述した方法では、チューブとして熱収縮チューブ１を使用していることから、該熱収縮チューブ１と自毛３及び増毛用毛髪材本体２ａとの間において隙間が生ずることがないので、洗髪時やブラッシングの際においても、個々の増毛用毛髪材本体２ａが抜け落ちる危険性がない。しかも、上述した方法では、増毛用毛髪材２の端部には接着剤による収束部２ｂが形成されているとともに、熱収縮チューブ１の内周面には接着層が形成されていることから、さらに個々の増毛用毛髪材本体（毛の一本一本）２ａが抜け落ちることがない。
【００１９】
なお、上述した工程により取り付けられた増毛用毛髪材２を自毛３から取り外す場合には、上記熱収縮チューブ１を、図示しないアイロン等の加熱具により加熱し、固まった樹脂を可塑化し、やや該増毛用毛髪材２を引っ張ることにより自毛３を損なうことなく、簡単に取り外すことができる。なお、自毛３に多少付着した樹脂は、洗髪剤により洗髪することにより確実に洗い落とすことができる。
【００２０】
【発明の効果】
上述した本発明の一実施の形態の説明からも明らかなように、本発明（請求項１記載の発明）に係る増毛用毛髪材の取付方法によれば、先ず、従来の増毛用毛髪材の取付方法のように、自毛を人口毛髪用繊維束に巻付ける工程や、自毛束の先端側及び前記人工毛髪用繊維束の両端側を前記交差部付近で編み合せる工程を経ることがなく、チューブ内に自毛と増毛用毛髪材とを挿通させるものであることから、作業者に熟練が要求されることがなく、簡単且つ短時間内に増毛用毛髪材を取り付けることができる。また、この発明では、自毛と増毛用毛髪材とが挿通されたチューブは、上記加熱工程により加熱されることにより収縮されることから、増毛用毛髪材の抜けを有効に防止することができる。
【００２１】
また、第２の発明（請求項２記載の発明）では、増毛用毛髪材は、複数本の増毛用毛髪の一端が接着剤により収束されてなることから、先ず、チューブの他端側から多数本の増毛用毛髪材を挿通させる前記毛髪材挿通工程を極めて簡単に行うことができ、また、前記加熱工程により増毛用毛髪材が取り付けられた後においては、該増毛用毛髪材を構成する個々の毛髪が抜け落ちる危険性を一層防止することができる。
【００２２】
また、第３の発明（請求項３記載の発明）によれば、上記チューブの内周面に形成された接着層により、増毛用毛髪材を構成する個々の毛髪が抜け落ちる危険性をより一層防止することができる。
【図面の簡単な説明】
【図１】熱収縮チューブと増毛用毛髪材とを示す斜視図である。
【図２】自毛が収束された状態を示す斜視図である。
【図３】収束された自毛に熱収縮チューブが挿通された後の状態を示す斜視図である。
【図４】図３に示す状態から増毛用毛髪材が挿通された後の状態を示す斜視図である。
【図５】自毛及び増毛用毛髪材が挿通された後に熱収縮チューブが収縮した後の状態を示す断面図である。
【図６】頭部の複数箇所において増毛用毛髪材が取り付けられた状態を示す斜視図である。
【符号の説明】
１    熱収縮チューブ
２    増毛用毛髪材
２ａ    毛髪材本体
２ｂ    収束部
３    自毛
【図１】
2004232147.tif 000003
【図２】
2004232147.tif 000004
【図３】
2004232147.tif 000005
【図４】
2004232147.tif 000006
【図５】
2004232147.tif 000007
【図６】
2004232147.tif 000008
【手続補正書】
【提出日】平成16年3月9日(2004.3.9)
【手続補正１】
【補正対象書類名】明細書
【補正対象項目名】特許請求の範囲
【補正方法】変更
【補正の内容】
【特許請求の範囲】
【請求項１】
ゴム又は樹脂を主成分としてなるチューブ内に、該チューブの一端から自毛を挿通させる自毛挿通工程と、
上記チューブ内に、該チューブの他端側から増毛用毛髪材を挿通させる毛髪材挿通工程と、
上記自毛挿通工程及び毛髪材挿通工程の後に、上記チューブを加熱し該チューブを収縮させる加熱工程と、を含んでなる増毛用毛髪材の取付方法であって、
上記チューブの内周面には、上記加熱工程により可塑化する熱可塑性樹脂を素材とする接着層が形成されてなることを特徴とする増毛用毛髪材の取付方法。
【手続補正２】
【補正対象書類名】明細書
【補正対象項目名】０００５
【補正方法】変更
【補正の内容】
【０００５】
【課題を解決するための手段】
本発明は、上記目的を達成するために提案されたものであって、第１の発明（請求項１記載の発明）は、ゴム又は樹脂を主成分としてなるチューブ内に、該チューブの一端側から自毛を挿通させる自毛挿通工程と、上記チューブ内に、該チューブの他端側から増毛用毛髪材を挿通させる毛髪材挿通工程と、上記自毛挿通工程及び毛髪材挿通工程の後に、上記チューブを加熱し該チューブを収縮させる加熱工程と、を含んでなる増毛用毛髪材の取付方法であって、上記チューブの内周面には、上記加熱工程により可塑化する熱可塑性樹脂を素材とする接着層が形成されてなることを特徴とするものである。
【手続補正３】
【補正対象書類名】明細書
【補正対象項目名】０００６
【補正方法】変更
【補正の内容】
【０００６】
この第１の発明によれば、先ず、従来の増毛用毛髪材の取付方法のように、自毛を人工毛髪用繊維束に巻付ける工程や、自毛束の先端側及び前記人工毛髪用繊維束の両端側を前記交差部付近で編み合せる工程を経ることがなく、チューブ内に自毛と増毛用毛髪材とを挿通させるものであることから、作業者に熟練が要求されることがなく、簡単且つ短時間内に増毛用毛髪材を取り付けることができる。また、この発明では、自毛と増毛用毛髪材とが挿通されたチューブは、上記加熱工程により加熱されることにより収縮されることから、増毛用毛髪材の抜けを有効に防止することができる。また、上記チューブの内周面に形成された接着層により、増毛用毛髪材を構成する個々の毛髪が抜け落ちる危険性をより一層防止することができる。
【手続補正４】
【補正対象書類名】明細書
【補正対象項目名】０００７
【補正方法】変更
【補正の内容】
【０００７】
なお、この第１の発明を構成するチューブの素材の一つとして上げられるゴムとしては、少なくとも、該チューブに加熱することにより、上記自毛や増毛用毛髪材が収縮されるものであれば良く、例えば、フッ素ゴム，ＥＰＤＭ（エチレン−プロピレン−ジエンターポリマー）ゴム又はシリコンゴム等を用いることができる。また、樹脂としては、ポリオレフィン樹脂，ポリ塩化ビニール，弾性ネオプレン樹脂，フロロプラスチックカイナー樹脂，フロロプラスチックテフロン樹脂（テフロンはイー  アイ  デュポン  ドゥ  ヌムール  アンド  カンパニーの登録商標），ポリテトラフルオロエチレン樹脂等を用いることができる。また、上記チューブの内周面に形成された接着層の素材に用いられる熱可塑性樹脂としては、例えば、ポリアミド樹脂，ポリエチレンテレフタレート，ポリブチレンテレフタレート等のポリエステル樹脂、アクリロニトリル−スチレン共重合樹脂，アクリロニトリル−ブタジエン−スチレン樹脂，ポリカーボネート樹脂，塩化ビニルデン−塩化ビニル共重合体、共重合アクリロニトリル樹脂，ポリアミド−ポリエ−テルブロック共重合樹脂等のポリアミド系熱可塑性エラストマー，スチレン−ブタジエンブロック共重合樹脂等のスチレン系熱可塑性エラストマーや、ポリプロピレン−エチレンプロピレンラバーブロック共重合樹脂等のポリオレフィン系熱可塑性エラストマー，ポリブタジエン系熱可塑性エラストマー，ポリエステル系熱可塑性エラストマー，或いはエチレン−酢酸ビニ系共重合体等の熱可塑性エラストマーの何れかより選ばれる重合体等を用いることができる。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００２０
【補正方法】変更
【補正の内容】
【００２０】
【発明の効果】
上述した本発明の一実施の形態の説明からも明らかなように、本発明（請求項１記載の発明）に係る増毛用毛髪材の取付方法によれば、先ず、従来の増毛用毛髪材の取付方法のように、自毛を人口毛髪用繊維束に巻付ける工程や、自毛束の先端側及び前記人工毛髪用繊維束の両端側を前記交差部付近で編み合せる工程を経ることがなく、チューブ内に自毛と増毛用毛髪材とを挿通させるものであることから、作業者に熟練が要求されることがなく、簡単且つ短時間内に増毛用毛髪材を取り付けることができる。また、この発明では、自毛と増毛用毛髪材とが挿通されたチューブは、上記加熱工程により加熱されることにより収縮されることから、増毛用毛髪材の抜けを有効に防止することができる。さらに、この発明によれば、上記チューブの内周面に形成された接着層により、増毛用毛髪材を構成する個々の毛髪が抜け落ちる危険性をより一層防止することができる。
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】